(57)【要約】【課題】  電子機器で使用されるバッテリの劣化を特に意識させずに充電制御を行い、ユーザの利便性を向上させることが課題になっていた。【解決手段】  実施形態の電子機器は、予め設定された第１の充電値でバッテリへの充電を制御する充電制御部を備える。  また、前記バッテリの記憶部に記憶されている初回使用日時情報を検出する初回情報検出部を備える。  また、前記初回使用日時情報が検出された場合に、前記初回使用日時情報に基づいて経過時間情報を取得し、前記経過時間情報が予め設定されている値に該当するかを検出する経過時間情報検出部を備える。  また、前記経過時間情報が前記予め設定されている値に該当する場合は、予め設定されている第２の充電値に切り替えて、前記バッテリへの充電を指示する充電指示部を備える。【選択図】  図３
2014135874.tif 000002
【特許請求の範囲】
【請求項１】
予め設定された第１の充電値でバッテリへの充電を制御する充電制御部と、
前記バッテリの記憶部に記憶されている初回使用日時情報を検出する初回情報検出部と、
前記初回使用日時情報が検出された場合に、前記初回使用日時情報に基づいて経過時間情報を取得し、前記経過時間情報が予め設定されている値に該当するかを検出する経過時間情報検出部と、
前記経過時間情報が前記予め設定されている値に該当する場合は、予め設定されている第２の充電値に切り替えて、前記バッテリへの充電を指示する充電指示部と、を備える電子機器。
【請求項２】
前記初回使用日時情報が検出されない場合は、ＯＳ起動時の起動日時情報を前記初回使用日時情報として記憶する請求項１に記載の電子機器。
【請求項３】
前記経過時間情報が前記予め設定されている値に該当しない場合は、予め設定されている前記第１の充電値で前記バッテリへの充電を指示する請求項１に記載の電子機器。
【請求項４】
前記初回使用日時情報の検出は、ＯＳの起動に応じて行われる請求項１に記載の電子機器。
【請求項５】
前記経過時間情報の取得は、前記バッテリへの充電指示に応じて行われる請求項１に記載の電子機器。
【請求項６】
前記切り替え指示された前記第２の充電値を記憶する第２の充電値記憶部を備える請求項１に記載の電子機器。
【請求項７】
前記バッテリは、前記初回使用日時情報を記憶する初回使用日時情報記憶部を備える請求項１に記載の電子機器。
【請求項８】
前記充電指示部は、前記経過時間情報が前記予め設定されている値に該当するかの検出に用いられる情報が記憶される検出情報記憶部を備える請求項１に記載の電子機器。
【請求項９】
予め設定された第１の充電値でバッテリへの充電を制御するステップと、
前記バッテリの記憶部に記憶されている初回使用日時情報を検出するステップと、
前記初回使用日時情報が検出された場合に、前記初回使用日時情報に基づいて経過時間情報を取得し、前記経過時間情報が予め設定されている値に該当するかを検出するステップと、
前記経過時間情報が前記予め設定されている値に該当する場合は、予め設定されている第２の充電値に切り替えて、前記バッテリへの充電を指示するステップと、を備え、電子機器を制御する電子機器の制御方法。
【請求項１０】
予め設定された第１の充電値でバッテリへの充電を制御するステップと、
前記バッテリの記憶部に記憶されている初回使用日時情報を検出するステップと、
前記初回使用日時情報が検出された場合に、前記初回使用日時情報に基づいて経過時間情報を取得し、前記経過時間情報が予め設定されている値に該当するかを検出するステップと、
前記経過時間情報が前記予め設定されている値に該当する場合は、予め設定されている第２の充電値に切り替えて、前記バッテリへの充電を指示するステップと、を備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、バッテリを電源として駆動可能なパーソナルコンピュータ（ＰＣ）等の電子機器が普及している。
【０００３】
これらの電子機器は、例えば、ユーザが携帯し、持ち運びすることが可能である。
【０００４】
そして、これらの電子機器に使用されるバッテリは、例えば、時間経過等の要因で劣化することが知られており、例えば、バッテリの充電時間や充電回数に基づいて、バッテリの劣化判定を行なう技術が提案されている。
【０００５】
しかし、電子機器で使用されるバッテリの劣化を逐次意識することはユーザにとって煩雑であり、不便であることが問題になっていた。
【０００６】
このため、電子機器で使用されるバッテリの劣化を特に意識させずに充電制御を行い、ユーザの利便性を向上させることが課題になっていた。
【先行技術文献】
【特許文献】
【０００７】
【特許文献１】特開平１０−１３４８４７号公報
【特許文献２】特開２００８−２２０１１０号公報
【発明の概要】
【発明が解決しようとする課題】
【０００８】
電子機器で使用されるバッテリの劣化を特に意識させずに充電制御を行い、ユーザの利便性を向上させることが課題になっていた。
【課題を解決するための手段】
【０００９】
実施形態の電子機器は、予め設定された第１の充電値でバッテリへの充電を制御する充電制御部を備える。
【００１０】
また、前記バッテリの記憶部に記憶されている初回使用日時情報を検出する初回情報検出部を備える。
【００１１】
また、前記初回使用日時情報が検出された場合に、前記初回使用日時情報に基づいて経過時間情報を取得し、前記経過時間情報が予め設定されている値に該当するかを検出する経過時間情報検出部を備える。
【００１２】
また、前記経過時間情報が前記予め設定されている値に該当する場合は、予め設定されている第２の充電値に切り替えて、前記バッテリへの充電を指示する充電指示部を備える。
【図面の簡単な説明】
【００１３】
【図１】実施形態に係わる電子機器（ＰＣ）の外観を示す図。
【図２】実施形態に係わる電子機器（ＰＣ）の構成を示すブロック図。
【図３】実施形態に係わる電子機器（ＰＣ）の構成の要部を示すブロック図。
【図４】実施形態に係わる電子機器（ＰＣ）の動作を説明するフローチャート。
【発明を実施するための形態】
【００１４】
以下、図面を参照し、実施の形態を説明する。
【００１５】
図１は、実施形態に係わる電子機器（ＰＣ）の外観を示す図である。
【００１６】
ここでは、電子機器（ＰＣ）１０は、例えばノートブックタイプのパーソナルコンピュータ（ノートＰＣ、またはＰＣ）として実現されている。
【００１７】
なお、この実施形態の電子機器（ＰＣ）１０は、パーソナルコンピュータに限られず、タブレット型ＰＣや携帯電話、スマートフォン、携帯型の電子機器、テレビ等に適用することも可能である。
【００１８】
ここでは、電子機器１０の一例として、パーソナルコンピュータ（ＰＣ）を用いて説明を行う。
【００１９】
電子機器（ＰＣ）１０は、例えば、コンピュータ（ノートＰＣ）本体１１と、映像表示部１２とから構成されている。映像表示部１２には、例えば、ＬＣＤ（ｌｉｑｕｉｄ  ｃｒｙｓｔａｌ  ｄｉｓｐｌａｙ）１７が組み込まれている。
【００２０】
映像表示部１２は、コンピュータ（ノートＰＣ）本体１１の上面が露出される開放位置とコンピュータ（ノートＰＣ）本体１１の上面を覆う閉塞位置との間を回動自在にコンピュータ（ノートＰＣ）本体１１に取り付けられている。
【００２１】
コンピュータ（ノートＰＣ）本体１１は、薄い箱形の筐体を有しており、その上面には、キーボード１３、電子機器（ＰＣ）１０を電源オン／電源オフするためのパワーボタン１４、タッチパッド１６、スピーカ１８Ａ、１８Ｂなどが配置されている。
【００２２】
また、コンピュータ（ノートＰＣ）本体１１の、例えば、右側面には、ＵＳＢ（ｕｎｉｖｅｒｓａｌ  ｓｅｒｉａｌ  ｂｕｓ）２．０規格のＵＳＢケーブルやＵＳＢデバイスを接続するためのＵＳＢコネクタ１９が設けられている。
【００２３】
さらに、コンピュータ（ノートＰＣ）本体１１の背面には、例えばＨＤＭＩ(ｈｉｇｈ−ｄｅｆｉｎｉｔｉｏｎ  ｍｕｌｔｉｍｅｄｉａ  ｉｎｔｅｒｆａｃｅ)規格に対応した外部ディスプレイ接続端子が設けられている（図示せず）。この外部ディスプレイ接続端子は、デジタル映像信号を外部ディスプレイに出力するために用いられる。
【００２４】
図２は、実施形態に係わる電子機器（ＰＣ）の構成を示すブロック図である。
【００２５】
電子機器（ＰＣ）１０は、例えば、図２に示すように、ＣＰＵ（ｃｅｎｔｒａｌ  ｐｒｏｃｅｓｓｉｎｇ  ｕｎｉｔ）１０１、システムメモリ（メインメモリ）１０３、サウスブリッジ１０４、ＧＰＵ（Ｇｒａｐｈｉｃｓ  Ｐｒｏｃｅｓｓｉｎｇ  Ｕｎｉｔ）１０５、ＶＲＡＭ（ビデオＲＡＭ:ｒａｎｄｏｍ ａｃｃｅｓｓ ｍｅｍｏｒｙ）１０５Ａ、サウンドコントローラ１０６、ＢＩＯＳ−ＲＯＭ（ｂａｓｉｃ ｉｎｐｕｔ／ｏｕｔｐｕｔ ｓｙｓｔｅｍ−ｒｅａｄ ｏｎｌｙ ｍｅｍｏｒｙ）１０７、ＬＡＮ（ｌｏｃａｌ ａｒｅａ ｎｅｔｗｏｒｋ）コントローラ１０８、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、カードスロット１１１Ｃ、無線ＬＡＮコントローラ１１２、エンベデッドコントローラ／キーボードコントローラ（ＥＣ／ＫＢＣ）１１３、ＥＥＰＲＯＭ（ｅｌｅｃｔｒｉｃａｌｌｙ ｅｒａｓａｂｌｅ ｐｒｏｇｒａｍｍａｂｌｅ ＲＯＭ）１１４等を備える。
【００２６】
ＣＰＵ（ＳＯＣ）１０１は、電子機器（ＰＣ）１０内の各部の動作を制御するプロセッサである。
【００２７】
ＣＰＵ（ＳＯＣ）１０１は、ＢＩＯＳ−ＲＯＭ１０７に格納されたＢＩＯＳを実行する。ＢＩＯＳは、ハードウェア制御のためのプログラムである。ＣＰＵ（ＳＯＣ）１０１には、システムメモリ（メインメモリ）１０３をアクセス制御するメモリコントローラも内蔵されている。また、例えば、ＰＣＩ  ＥＸＰＲＥＳＳ規格のシリアルバスなどを介してＧＰＵ１０５との通信を実行する機能も有している。
【００２８】
ＧＰＵ１０５は、電子機器（ＰＣ）１０のディスプレイモニタとして使用されるＬＣＤ１７を制御する表示コントローラである。
【００２９】
このＧＰＵ１０５によって生成される表示信号はＬＣＤ１７に送られる。また、ＧＰＵ１０５は、ＨＤＭＩ制御回路３およびＨＤＭＩ端子２を介して、外部ディスプレイ１にデジタル映像信号を送出することもできる。
【００３０】
ＨＤＭＩ端子２は、前述の外部ディスプレイ接続端子である。ＨＤＭＩ端子２は、非圧縮のデジタル映像信号とデジタルオーディオ信号とを１本のケーブルでテレビのような外部ディスプレイ１に送出することができる。ＨＤＭＩ制御回路３は、ＨＤＭＩモニタと称される外部ディスプレイ１にデジタル映像信号を、ＨＤＭＩ端子２を介して送出するためのインタフェースである。
【００３１】
サウスブリッジ１０４は、ＰＣＩ（Ｐｅｒｉｐｈｅｒａｌ Ｃｏｍｐｏｎｅｎｔ Ｉｎｔｅｒｃｏｎｎｅｃｔ）バス上の各デバイス及びＬＰＣ（Ｌｏｗ Ｐｉｎ Ｃｏｕｎｔ）バス上の各デバイスを制御する。また、サウスブリッジ１０４は、ＨＤＤ１０９及びＯＤＤ１１０を制御するためのＩＤＥ（Ｉｎｔｅｇｒａｔｅｄ Ｄｒｉｖｅ Ｅｌｅｃｔｒｏｎｉｃｓ）コントローラを内蔵している。
【００３２】
さらに、サウスブリッジ１０４は、サウンドコントローラ１０６との通信を実行する機能も有している。
【００３３】
サウンドコントローラ１０６は音源デバイスであり、再生対象のオーディオデータをスピーカ１８Ａ，１８ＢまたはＨＤＭＩ制御回路３に出力する。ＬＡＮコントローラ１０８は、例えばＩＥＥＥ ８０２．３規格の有線通信を実行する有線通信デバイスであり、一方、無線ＬＡＮコントローラ１１２は、例えばＩＥＥＥ ８０２．１１ｇ規格の無線通信を実行する無線通信デバイスである。ＵＳＢコントローラ１１１Ａは、例えばＵＳＢ ２．０規格に対応した外部機器との通信を実行する。
【００３４】
例えば、ＵＳＢコントローラ１１１Ａは、デジタルカメラに格納されている画像データファイルを受信するために使用される。また、カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【００３５】
ＥＣ／ＫＢＣ１１３は、電力管理のためのエンベデッドコントローラと、キーボード１３及びタッチパッド１６を制御するためのキーボードコントローラとが集積された１チップマイクロコンピュータである。ＥＣ／ＫＢＣ１１３は、ユーザによるパワーボタン１４の操作に応じて電子機器（ＰＣ）１０を電源オン／電源オフする機能を有している。
【００３６】
この実施の形態における表示制御は、例えば、ＣＰＵ（ＳＯＣ）１０１がシステムメモリ（メインメモリ）１０３やＨＤＤ１０９等に記録されたプログラムを実行させることにより行われる。
【００３７】
また、この実施形態においては、ＯＳとは、Ｏｐｅｒａｔｉｎｇ  Ｓｙｓｔｅｍ（オペレーティングシステム）の略である。
【００３８】
例えば、キーボード入力や画面出力といった入出力機能やディスクやメモリの管理など、多くのアプリケーションソフトから共通して利用される基本的な機能を提供し、コンピュータシステム全体を管理するソフトウェアである。ここでは、例えば、ＨＤＤ１０９に保存されている。
【００３９】
図３は、実施形態に係わる電子機器（ＰＣ）の構成の要部を示すブロック図である。
【００４０】
この実施形態において、電子機器（ＰＣ）１０は、図３に示すように、充電制御部（Ｃｈａｒｇｅｒ）４０を備え、記憶部（レジスタ）４１に予め設定された、第１の充電値（例えば、電流１．５Ａ／電圧４．２Ｖ）でバッテリ（Ｂａｔｔｒｙ）３０への充電を制御する。
【００４１】
また、ここでは、バッテリ（Ｂａｔｔｒｙ）３０は、例えば、３０００ｍＡｈのセルを複数、備える構成になっている。
【００４２】
また、電子機器（ＰＣ）１０は、例えば、ＥＣ／ＫＢＣ（１１３）で、バッテリ（Ｂａｔｔｒｙ）３０の記憶部（ＲＡＭ領域）３１に記憶されている「初回使用日時情報」（例えば、初回使用年月日：２０１３年１月１日、１０：００ＡＭ）を検出する（初回情報検出部）。
【００４３】
ここで、ＥＣ／ＫＢＣの説明をする。
【００４４】
ＥＣ／ＫＢＣとは、エンベッドコントローラー＆キーボードコントローラの略称であり、マイクロコントローラである。
【００４５】
このＥＣ／ＫＢＣは、電源ＯＮ／ＯＦＦ状態に係わらず、電子機器（ＰＣ）の状態を様々なセンサ等で確認し、制御する。
【００４６】
例えば、システムＯＮ／ＯＦＦのための電源制御、部品の温度監視、放熱用ファンの回転数制御、ボタンやキーボード、タッチパッドの入力監視等を行う。
【００４７】
また、電子機器（ＰＣ）１０は、例えば、上記「初回使用日時情報」（初回使用年月日：２０１３年１月１日、１０：００ＡＭ）が検出された場合に、この「初回使用日時情報」に基づいて、初回使用日時から現在までの「経過時間」の情報（経過時間情報）を算出し、取得する。
【００４８】
そして、この「経過時間」情報が、例えば、充電値指示部（ＥＣ／ＫＢＣ）１１３の記憶部（ＲＡＭ領域）１１３ａに、図３に示すような、予め設定されている値（例えば、２．経過時間閾値２（１００１日〜２０００日））に該当するかを検出する（経過時間情報検出部）。
【００４９】
そして、この「経過時間」情報が、この予め設定されている値（２．経過時間閾値２（１００１日〜２０００日））に該当する、すなわち、電子機器（ＰＣ）１０の初回使用年月日からの「経過時間」が１００１日〜２０００日に該当する、場合は、記憶部（ＲＡＭ領域）１１３ａに予め設定されている、第２の充電値（「充電値」（電流９００ｍＡ／電圧４．０Ｖ、第２の値））に切り替えて、バッテリ（Ｂａｔｔｒｙ）３０への充電を行うよう充電制御部（Ｃｈａｒｇｅｒ）４０に指示する（充電指示部）。
【００５０】
すなわち、実施形態の電子機器（ＰＣ）１０において、充電値指示部（ＥＣ／ＫＢＣ）１１３は、ＯＳ起動時に、例えば、バッテリ（Ｂａｔｔｒｙ）３０内部に構成される記憶部（ＲＡＭデータ領域）に記憶（保管）されている初回使用年月日（２０１３年１月１日、１０：００ＡＭ）情報を検出（確認）する。
【００５１】
そして、記憶部（ＲＡＭデータ領域）に、初回使用年月日（２０１３年１月１日、１０：００ＡＭ）情報が検出（確認）できない場合は、ＯＳ起動時の起動年月日情報を、初回使用年月日として、充電制御部（Ｃｈａｒｇｅｒ）４０の記憶部（レジスタ）４１に記憶する。
【００５２】
そして、充電値指示部（ＥＣ／ＫＢＣ）１１３内部の充電値指示部（充電電流・電圧決定ブロック）は、充電開始指示を受け、バッテリ（Ｂａｔｔｒｙ）３０への充電を開始する。
【００５３】
また、このバッテリ（Ｂａｔｔｒｙ）３０への充電開始時に、例えば、上記「初回使用日時情報」（初回使用年月日）を用い、「初回使用日時情報」（初回使用年月日）から現在時刻までの「経過時間」を算出する。
【００５４】
このとき、現在時刻は、例えば、電子機器（ＰＣ）１０の持つ時刻情報を利用しても良い。
【００５５】
そして、ここで算出された「経過時間」を、例えば、充電値指示部（ＥＣ／ＫＢＣ）１１３の記憶部（ＲＡＭ領域）３１に保存されている経過時間閾値（ここでは、例えば、１．経過時間閾値１（１日〜１０００日）や、２．経過時間閾値２（１００１日〜２０００日））と比較を行う。
【００５６】
ここで、所定時間（１．経過時間閾値１（１日〜１０００日））を経過していない場合は、充電部（Ｂａｔｔｅｒｙ）３０の記憶部（ＲＡＭ領域データ）３１に記憶されている「充電値」（充電電流１．５Ａ／充電電圧４．２Ｖ、第１の値）を採用する。
【００５７】
また、所定時間を経過（２．経過時間閾値２（１００１日〜２０００日）に該当）する場合は、この「経過時間」に応じた「充電値」（充電電流９００ｍＡ／充電電圧４．０Ｖ、第２の値）を指定する。
【００５８】
そして、充電値指示部（ＥＣ／ＫＢＣ）１１３は、上記指定された充電値情報（第１の値（充電電流１．５Ａ／充電電圧４．２Ｖ）、第２の値（充電電流９００ｍＡ／充電電圧４．０Ｖ）等）を充電制御部（Ｃｈａｒｇｅｒ）４０に向けて出力する。
【００５９】
充電制御部（Ｃｈａｒｇｅｒ）４０は、指定された「充電値」情報を用い、バッテリ（Ｂａｔｔｒｙ）３０への充電を行なう。
【００６０】
すなわち、この実施形態においては、例えば、バッテリ（蓄電部３０）内部に「初回使用年月日情報」を格納するレジスタ（記憶部４０）を設けるようにしても良い。
【００６１】
また、充電指示部（ＥＣ／ＫＢＣ）１１３は、電子機器（ＰＣ）１０のＯＳの起動に応じて、バッテリ（蓄電部３０）の初回使用年月日をチェックし、初回使用年月日情報が検出できなければ、ＯＳ起動年月日を、初回使用年月日として登録しても良い。
【００６２】
また、充電指示部（ＥＣ／ＫＢＣ）１１３は、バッテリ（蓄電部３０）への充電開始時に、初回仕様年月日からの経過時間を算出し、それが所定時間を経過した場合は、「経過時間」に応じて充電電圧を制御（例えば、充電電圧を下げる、充電電流を下げる等）しても良い。
【００６３】
これにより、例えば、バッテリ（蓄電部３０）への充電において、安全性を向上させることが可能になる。
【００６４】
すなわち、この実施形態の電子機器においては、例えば、バッテリ（蓄電部３０）内部にバッテリ（蓄電部３０）の「初回使用年月日情報」を登録する機能を持たせることで、バッテリ（蓄電部３０）使用開始からの「経過時間」を算出することが可能になる。
【００６５】
これにより、算出された「経過時間」に応じて、バッテリ（蓄電部３０）への「充電値」（充電電圧／充電電流等）を変更することが可能になる。
【００６６】
また、これにより、バッテリ（蓄電部３０）への充電において、安全性を向上させることが可能になる。
【００６７】
図４は、実施形態に係わる電子機器（ＰＣ）の動作を説明するフローチャートである。
【００６８】
ステップＳ１００は、ここでの開始ステップである。続いて、ステップＳ１０１に進む。
【００６９】
ステップＳ１０１は、例えば、電子機器（ＰＣ）１０の電源がＯＮにされ、ＯＳを起動するステップである。続いて、ステップＳ１０２に進む。
【００７０】
ステップＳ１０２は、ＯＳの起動に応じ、充電値指示部（ＥＣ／ＫＢＣ）１１３は、バッテリ３０の記憶部（ＲＡＭ領域）３１に登録（記憶）されている初回使用年月日情報（「初回使用日時情報」）を検出するステップである。続いて、ステップＳ１０３に進む。
【００７１】
ステップＳ１０３は、「初回使用日時情報」は検出されたかを判別するステップである。「初回使用日時情報」は検出されたと判別される場合は、ステップＳ１０５に進む（Ｙｅｓ）。「初回使用日時情報」は検出されないと判別される場合は、ステップＳ１０４に進む（Ｎｏ）。
【００７２】
ステップＳ１０４は、ＯＳ起動時の年月日情報（日時情報）を、初回使用年月日情報（「初回使用日時情報」）として、蓄電部（バッテリ）３０の記憶部（ＲＡＭ領域）３１に登録（記憶）するステップである。続いて、ステップＳ１０５に進む。
【００７３】
ステップＳ１０５は、蓄電部（バッテリ）３０への充電開始指示を検出するステップである。蓄電部（バッテリ）３０への充電開始指示が検出される場合は、ステップＳ１０６に進む（Ｙｅｓ）。蓄電部（バッテリ）３０への充電開始指示が検出されない場合は、ここでの処理を繰り返す（Ｎｏ）。
【００７４】
ステップＳ１０６は、初回使用年月日情報（「初回使用日時情報」）に基づいて、例えば、初回使用年月日情報（「初回使用日時情報」）と現在時刻から「経過時間」を算出するステップである。続いて、ステップＳ１０７に進む。
【００７５】
ステップＳ１０７は、算出された「経過時間」と、充電値指示部（ＥＣ／ＫＢＣ）１１３の記憶部１１３ａに記憶されている経過時間閾値を比較するステップである。続いて、ステップＳ１０８に進む。
【００７６】
ステップＳ１０８は、「経過時間」は「閾値１」を超えた、または、「閾値２」に該当するかを検出するステップである。ここでは、「閾値１」は、例えば、経過時間閾値１（１日〜１０００日）である。また、「閾値２」は、経過時間閾値２（１００１日〜２０００日）である。
【００７７】
「経過時間」は「閾値１」を超えた、または、「閾値２」に該当すると検出される場合は、ステップＳ１０９に進む（Ｙｅｓ）。「経過時間」は「閾値１」を超えない、または、「閾値２」に該当しないと検出される場合は、ステップＳ１１０に進む（Ｎｏ）。
【００７８】
ステップＳ１０９は、充電値指示部（ＥＣ／ＫＢＣ）１１３の記憶部１１３ａに記憶されている、「経過時間」に応じた「充電値」（例えば、電流９００ｍＡ／電圧４．０Ｖ、第２の値）を指定するステップである。続いて、ステップＳ１１１に進む。
【００７９】
ステップＳ１１０は、充電値指示部（ＥＣ／ＫＢＣ）１１３の記憶部１１３ａまたは蓄電部（バッテリ）３０の記憶部（ＲＡＭ領域）３１に登録（記憶）されている、「充電値」（例えば、電流１．５Ａ／電圧４．２Ｖ、第１の値）を指定するステップである。続いて、ステップＳ１１１に進む。
【００８０】
ステップＳ１１１は、指定された「充電値」（例えば、第１の値または第２の値）を充電制御部（チャージャ）４０の記憶部（レジスタ）４１に通知し、記憶するステップである。続いて、ステップＳ１１２に進む。
【００８１】
ステップＳ１１２は、充電制御部（チャージャ）４０は、通知された「充電値」を用い、蓄電部（バッテリ）３０に充電制御するステップである。続いて、ステップＳ１１３に進む。
【００８２】
ステップＳ１１３は、終了ステップであり、ここでの処理は終了する。
【００８３】
すなわち、この実施形態の電子機器（ＰＣ）１０は、予め設定された第１の充電値でバッテリ（蓄電部３０）への充電を制御する充電制御部（Ｃｈａｒｇｅｒ４０）を備える。
【００８４】
また、前記バッテリ（蓄電部３０）の記憶部３１に記憶されている「初回使用日時情報」を検出する初回情報検出部（ＥＣ／ＫＢＣ）１１３を備える。
【００８５】
また、前記「初回使用日時情報」が検出された場合に、前記「初回使用日時情報」に基づいて「経過時間情報」を取得し、前記「経過時間情報」が予め設定されている値に該当するかを検出する経過時間情報検出部（ＥＣ／ＫＢＣ）１１３を備える。
【００８６】
また、前記「経過時間情報」が前記予め設定されている値に該当する場合は、予め設定されている第２の充電値に切り替えて、前記バッテリ（蓄電部３０）への充電を指示する充電指示部（ＥＣ／ＫＢＣ）１１３を備える。
【００８７】
また、前記「初回使用日時情報」が検出されない場合は、ＯＳ起動時の「起動日時情報」を前記「初回使用日時情報」として記憶する。
【００８８】
また、前記「経過時間情報」が前記予め設定されている値に該当しない場合は、予め設定されている前記第１の充電値で前記バッテリ（蓄電部３０）への充電を指示する。
【００８９】
また、前記「初回使用日時情報」の検出は、例えば、ＯＳの起動に応じて行われる。
【００９０】
また、前記「経過時間情報」の取得は、前記バッテリ（蓄電部３０）への充電指示に応じて行われる。
【００９１】
また、前記切り替え指示された前記第２の充電値を記憶する第２の充電値記憶部を備える。
【００９２】
また、前記バッテリ（蓄電部３０）は、前記「初回使用日時情報」を記憶する初回使用日時情報記憶部を備える。
【００９３】
また、前記充電指示部（ＥＣ／ＫＢＣ）１１３は、前記「経過時間情報」が前記予め設定されている値に該当するかの検出に用いられる情報が記憶される。
【００９４】
上記のように構成することによって、この実施形態においては、電子機器で使用されるバッテリの劣化を特に意識させずに充電制御を行い、ユーザの利便性を向上させることが可能になる。
【００９５】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【００９６】
なお、上記実施形態は、記述そのものに限定されるものではなく、実施段階では、その趣旨を逸脱しない範囲で、構成要素を種々変形して具体化することが可能である。
【００９７】
また、上記実施形態に開示されている複数の構成要素の適宜な組み合せにより種々の発明を形成できる。
【００９８】
例えば、実施形態に示される全構成要素から幾つかの構成要素を削除してもよい。更に、異なる実施形態に亘る構成要素を適宜組み合せてもよい。
【符号の説明】
【００９９】
３０…バッテリ（Ｂａｔｔｒｙ）、３１…記憶部（ＲＡＭ領域）、４０…充電制御部（Ｃｈａｒｇｅｒ）、４１…記憶部（レジスタ）、１１３…充電値指示部（ＥＣ／ＫＢＣ）、１１３ａ…記憶部（ＲＡＭ領域）。
【図１】
2014135874.tif 000003
【図２】
2014135874.tif 000004
【図３】
2014135874.tif 000005
【図４】
2014135874.tif 000006